(57)【要約】  装置本体２には、カムブロック１０が設けられる。カムブロック１０には、左右方向に対して傾斜した第１傾斜面１２、及び金属性の板材からなる第１板材３１が設けられ。第１板材３１は、その第１板部３１ａが第１傾斜面１２に接触するように配置される。第１板材３１の右下側の端部には、第３板部３１ｃが円弧部３１ｅを介して連設される。第３板部３１ｃは、上下方向へ弾性変形可能にする。開閉部材６には、第１当接部５１が設けられる。第１当接部５１は、第３板部３１ｃによって下方へ付勢され、それによって開閉部材６が下方へ付勢される。下方へ付勢された開閉部材６は、装置本体２の底壁部２ｄにシール部材６１を介して押し付けられる。
2013125025.tif 000002
【特許請求の範囲】
【請求項１】
室外（Ｏ）と室内（Ｉ）とを連通する換気通路（５）が形成された装置本体（２）と、この装置本体（２）に移動可能に設けられた開閉部材（６）とを備え、上記装置本体（２）と上記開閉部材（６）との間には、上記開閉部材（６）が第１方向へ移動するときに、上記開閉部材（６）を上記換気通路（５）を開いた開位置から上記換気通路（５）を閉じた閉位置まで移動させる第１カム機構（８）、及び上記開閉部材（６）が上記第１方向と逆方向である第２方向へ移動するときに、上記開閉部材（６）を上記閉位置から上記開位置まで移動させる第２カム機構（９）が設けられ、上記装置本体（２）には、上記開閉部材（６）に突き当たることによって上記開閉部材（６）の閉位置を規定する第１基準部（２ｆ）が設けられた換気装置において、
上記装置本体（２）に第１付勢手段（３１ｃ，３１ｅ）が設けられ、上記第１付勢手段（３１ｃ，３１ｅ）は、上記閉位置に移動させられた上記開閉部材（６）を上記開位置側から上記閉位置側へ付勢して上記第１基準部（２ｆ）に押し付け、それよって上記開閉部材（６）を上記閉位置に維持することを特徴とする換気装置。
【請求項２】
上記第１カム機構（８）が、上記装置本体（２）と上記開閉部材（６）とのいずれか一方に設けられた第１カム部（１２，３１ａ）と、他方に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記一方に設けられた第２カム部（２２，４１ａ）と、上記他方に設けられた第２当接部（５２）とを有し、上記開閉部材（６）が上記他方向へ移動するときには、上記第２当接部（５２）が上記第２カム部（１２，３１ａ）上を摺動することにより、上記開閉部材（６）が上記閉位置から上記開位置まで移動させられ、
上記第１方向前方に位置する上記第１カム部（１２，３１ａ）の前端部には、弾性変形可能な第１弾性部（３１ｃ，３１ｅ）が設けられ、この第１弾性部（３１ｃ，３１ｅ）が、上記第１当接部（５１）を上記開位置側から上記閉位置側へ付勢して上記開閉部材（６）を上記第１基準部（２ｆ）に押し付ける上記第１付勢手段とされていることを特徴とする請求項１に記載の換気装置。
【請求項３】
上記第１カム部（１２，３１ａ）が、上記一方に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記一方に設けられ、上記開閉部材（６）が上記一方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置に向かう方向へ離間させられ、この第１板材（３１）の前端部が上記第１弾性部（３１ｃ，３１ｅ）とされていることを特徴とする請求項２に記載の換気装置。
【請求項４】
上記第２カム部（２２，３４ａ）が、上記一方に設けられた第２支持部（２２）と、金属製の第２板材（４１）とを有し、上記第２支持部（２２）が上記第１及び第２方向に対して傾斜した第２傾斜面（２２）を有し、上記第２板材（４１）が上記第２傾斜面（２２）に接触した状態で上記一方に設けられ、上記開閉部材（６）が上記他方向へ移動するときに上記第２当接部（５２）が上記第２傾斜面（２２）に上記第２板材（４１）を介して摺接することにより、上記開閉部材（６）が上記閉位置側から上記開位置側へ移動させられることを特徴とする請求項３に記載の換気装置。
【請求項５】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部（１４）に接触させられた延長部（３１ｂ）が設けられ、上記第１当接部（５１）が上記第２基準部（１４）に上記延長部（３１ｂ）を介して突き当たることにより、上記開閉部材（６）の開位置が定められ、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第２基準部（１４）に上記延長部（３１ｂ）を介して押し付けることにより、上記開閉部材（６）が上記開位置に維持されることを特徴とする請求項４に記載の換気装置。
【請求項６】
上記装置本体（２）に硬質樹脂からなるカムブロック（１０，１０´）が固定され、このカムブロック（１０，１０´）と上記開閉部材（６）との間に上記第１及び第２カム機構（８，９）が設けられていることを特徴とする請求項１に記載の換気装置。
【請求項７】
上記第１カム機構（８）が、上記カムブロック（１０，１０´）に設けられた第１カム部（１２，３１ａ）と、上記開閉部材（６）に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記カムブロック（１０，１０´）に設けられた第２カム部（２２，４１ａ）と、上記開閉部材（６）に設けられた第２当接部（５２）とを有し、上記開閉部材（６）が上記第２方向へ移動するときには、上記第２当接部（５２）が上記第２カム部（２２，４１ａ）上を摺動することにより、上記開閉部材（６）が上記閉位置から上記開位置まで移動させられ、
上記第１方向前方に位置する上記第１カム部（１２，３１ａ）の前端部には、弾性変形可能な第１弾性部（３１ｃ，３１ｅ）が設けられ、この第１弾性部（３１ｃ，３１ｅ）が、上記第１当接部（５１）を上記開位置側から上記閉位置側へ付勢して上記開閉部材（６）を上記第１基準部（２ｆ）に押し付ける上記第１付勢手段とされていることを特徴とする請求項６に記載の換気装置。
【請求項８】
上記第１カム部（１２，３１ａ）が、上記カムブロック（１０，１０´）に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記カムブロック（１０，１０´）に設けられ、上記開閉部材（６）が上記第１方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置へ向かう方向前方に離間させられ、この前端部が上記第１弾性部（３１ｃ，３１ｅ）とされていることを特徴とする請求項７に記載の換気装置。
【請求項９】
上記第２カム部（２２，４１ａ）が、上記カムブロック（１０，１０´）に設けられた第２支持部（２２）と、金属製の第２板材（４１）とを有し、上記第２支持部（２２）が上記第１及び第２方向に対して傾斜した第２傾斜面（２２）を有し、上記第２板材（４１）が上記第２傾斜面（２２）に接触した状態で上記カムブロック（１０，１０´）に設けられ、上記開閉部材（６）が上記第２方向へ移動するときに上記第２当接部（５２）が上記第２傾斜面（２２）に上記第２板材（４１）を介して摺接することにより、上記開閉部材（６）が上記閉位置側から上記開位置側へ移動させられることを特徴とする請求項８に記載の換気装置。
【請求項１０】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部に接触させられた延長部（３１ｂ）が設けられ、上記第１当接部（５１）が上記第２基準部（１４）に上記延長部（３１ｂ）を介して突き当たることにより、上記開閉部材（６）の開位置が規定され、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第２基準部（１４）に上記延長部（３１ｂ）を介して押し付けることにより、上記開閉部材（６）が上記開位置に維持されることを特徴とする請求項９に記載の換気装置。
【請求項１１】
上記第１及び第２板材（３１，４１）が同一形状に形成されていることを特徴とする請求項４，５，９，１０のいずれかに記載の換気装置。
【発明の詳細な説明】
【技術分野】
【０００１】
この発明は、屋外と屋内との間において換気を行う際に用いられる換気装置に関する。
【背景技術】
【０００２】
一般に、この種の換気装置は、下記特許文献１に記載されているように、装置本体と開閉部材とを有している。装置本体は、建物の壁や窓に固定されており、その内部には屋外と屋内とを連通する換気通路が設けられている。一方、開閉部材は、換気通路を開閉するためのものであり、装置本体の内部に移動可能に設けられている。【０００３】
開閉部材の移動方向に沿う一側部は、装置本体に直線移動可能に、かつ回転可能に支持されている。開閉部材は、第１位置と第２位置との間を直線移動可能であり、閉位置と開位置との間を回転可能である。【０００４】
装置本体と開閉部材の他側部との間には、第１及び第２カム機構が設けられている。第１カム機構は、装置本体が第２位置から第１位置に向かう方向（以下、第１方向という。）へ直線移動すると、開閉部材を開位置側から閉位置側へ向かって回転させる。そして、開閉部材が第１位置に達すると、開閉部材を閉位置まで回転させる。開閉部材は、閉位置まで回転すると、装置本体にシール部材を介して突き当たり、換気通路を閉じる。これにより、室外と室内との間の換気が停止される。【０００５】
第２カム機構は、装置本体が第１位置から第２位置に向かう方向（以下、第２方向という。）へ直線移動すると、開閉部材を閉位置から開位置に向かって回転させる。そして、開閉部材が第２位置に達すると、開閉部材を開位置まで回転させる。開閉部材は、開位置に回転すると、換気通路を開く。これにより、室外と室内との間で換気が行われる。【０００６】
第１カム機構は、開閉部材の直線移動方向に対して傾斜した傾斜面と、開閉部材の直線移動方向と平行な押圧面とを有している。傾斜面は、開閉部材が第１方向へ直線移動するときに、開閉部材に接触して開閉部材を開位置から閉位置まで回転させる。開閉部材が第１方向へさらに移動して第１位置に達すると、開閉部材が傾斜面を越えて押圧面に押圧接触する。その状態では、押圧面が開閉部材の直線移動方向と平行であるので、開閉部材が回転することがなく、停止状態を維持する。つまり、開閉部材が閉位置に維持される。
【先行技術文献】
【特許文献】
【０００７】
【特許文献１】特開２００１−２３４６７３号公報
【発明の概要】
【発明が解決しようとする課題】
【０００８】
装置本体や開閉部材には、不可避の製造誤差がある。その製造誤差は、押圧面や閉位置に回転した開閉部材が突き当たる装置本体の接触面の位置精度に影響を及ぼす。その結果、開閉部材が閉位置に回転したときに、開閉部材が装置本体に過大な力で押圧接触したり、逆に過小な力で押圧接触したりする。開閉部材の装置本体への接触圧が過大であると、開閉部材を直線移動させ難くなったり、あるいはシール部材が過大に圧縮されて早期に劣化してしまうという問題がある。逆に開閉部材の装置本体への接触圧が過小であると、換気通路に対する開閉部材の密封性が低下してしまうという問題がある。
【課題を解決するための手段】
【０００９】
この発明は、室外と室内とを連通する換気通路が形成された装置本体と、この装置本体に移動可能に設けられた開閉部材とを備え、上記装置本体と上記開閉部材との間には、上記開閉部材が第１方向へ移動するときに、上記開閉部材を上記換気通路を開いた開位置から上記換気通路を閉じた閉位置まで移動させる第１カム機構、及び上記開閉部材が上記第１方向と逆方向である第２方向へ移動するときに、上記開閉部材を上記閉位置から上記開位置まで移動させる第２カム機構が設けられ、上記装置本体には、上記開閉部材に突き当たることによって上記開閉部材の閉位置を規定する第１基準部が設けられた換気装置において、
上記装置本体に第１付勢手段が設けられ、上記第１付勢手段は、上記閉位置に移動させられた上記開閉部材を上記開位置側から上記閉位置側へ付勢して上記第１基準部に押し付け、それよって上記開閉部材を上記閉位置に維持することを最も主要な特徴とする。
この場合、上記第１カム機構が、上記装置本体と上記開閉部材とのいずれか一方に設けられた第１カム部と、他方に設けられた第１当接部とを有し、上記開閉部材が上記第１方向へ移動するときには、上記第１当接部が上記第１カム部上を摺動することにより、上記開閉部材が上記開位置から上記閉位置まで移動させられ、上記第２カム機構が、上記一方に設けられた第２カム部と、上記他方に設けられた第２当接部とを有し、上記開閉部材が上記他方向へ移動するときには、上記第２当接部が上記第２カム部上を摺動することにより、上記開閉部材が上記閉位置から上記開位置まで移動させられ、上記第１方向前方に位置する上記第１カム部の前端部には、弾性変形可能な第１弾性部が設けられ、この第１弾性部が、上記第１当接部を上記開位置側から上記閉位置側へ付勢して上記開閉部材を上記第１基準部に押し付ける上記第１付勢手段とされていることが望ましい。
上記第１カム部が、上記一方に設けられた第１支持部と、金属製の第１板材とを有し、上記第１支持部が上記第１及び第２方向に対して傾斜した第１傾斜面を有し、上記第１板材が上記第１傾斜面に接触した状態で上記一方に設けられ、上記開閉部材が上記一方向へ移動するときに上記第１当接部が上記第１傾斜面に上記第１板材を介して摺接することにより、上記開閉部材が上記開位置側から上記閉位置側へ移動させられ、上記第１方向前方に位置する上記第１板材の前端部が上記第１傾斜面に対して上記開位置から上記閉位置に向かう方向へ離間させられ、この第１板材の前端部が上記第１弾性部とされていることが望ましい。
上記第２カム部が、上記一方に設けられた第２支持部と、金属製の第２板材とを有し、上記第２支持部が上記第１及び第２方向に対して傾斜した第２傾斜面を有し、上記第２板材が上記第２傾斜面に接触した状態で上記一方に設けられ、上記開閉部材が上記他方向へ移動するときに上記第２当接部が上記第２傾斜面に上記第２板材を介して摺接することにより、上記開閉部材が上記閉位置側から上記開位置側へ移動させられることが望ましい。
上記第１カム部が上記第１方向後方に位置する上記第１傾斜面の後端部に続いて設けられた第２基準部を有し、上記第１方向後方に位置する上記第１板材の後端部に上記第２基準部に接触させられた延長部が設けられ、上記第１当接部が上記第２基準部に上記延長部を介して突き当たることにより、上記開閉部材の開位置が定められ、上記第２方向前方に位置する上記第２板材の前端部に弾性変形可能な第２弾性部が設けられ、上記第２弾性部が上記第２当接部を上記閉位置側から上記開位置側へ付勢して上記第２基準部に上記延長部を介して押し付けることにより、上記開閉部材が上記開位置に維持されることが望ましい。
上記装置本体に硬質樹脂からなるカムブロックが固定され、このカムブロックと上記開閉部材との間に上記第１及び第２カム機構が設けられていることが望ましい。
上記第１カム機構が、上記カムブロックに設けられた第１カム部と、上記開閉部材に設けられた第１当接部とを有し、上記開閉部材が上記第１方向へ移動するときには、上記第１当接部が上記第１カム部上を摺動することにより、上記開閉部材が上記開位置から上記閉位置まで移動させられ、上記第２カム機構が、上記カムブロックに設けられた第２カム部と、上記開閉部材に設けられた第２当接部とを有し、上記開閉部材が上記第２方向へ移動するときには、上記第２当接部が上記第２カム部上を摺動することにより、上記開閉部材が上記閉位置から上記開位置まで移動させられ、上記第１方向前方に位置する上記第１カム部の前端部には、弾性変形可能な第１弾性部が設けられ、この第１弾性部が、上記第１当接部を上記開位置側から上記閉位置側へ付勢して上記開閉部材を上記第１基準部に押し付ける上記第１付勢手段とされていることが望ましい。
上記第１カム部が、上記カムブロックに設けられた第１支持部と、金属製の第１板材とを有し、上記第１支持部が上記第１及び第２方向に対して傾斜した第１傾斜面を有し、上記第１板材が上記第１傾斜面に接触した状態で上記カムブロックに設けられ、上記開閉部材が上記第１方向へ移動するときに上記第１当接部が上記第１傾斜面に上記第１板材を介して摺接することにより、上記開閉部材が上記開位置側から上記閉位置側へ移動させられ、上記第１方向前方に位置する上記第１板材の前端部が上記第１傾斜面に対して上記開位置から上記閉位置へ向かう方向前方に離間させられ、この前端部が上記第１弾性部とされていることが望ましい。
上記第２カム部が、上記カムブロックに設けられた第２支持部と、金属製の第２板材とを有し、上記第２支持部が上記第１及び第２方向に対して傾斜した第２傾斜面を有し、上記第２板材が上記第２傾斜面に接触した状態で上記カムブロックに設けられ、上記開閉部材が上記第２方向へ移動するときに上記第２当接部が上記第２傾斜面に上記第２板材を介して摺接することにより、上記開閉部材が上記閉位置側から上記開位置側へ移動させられることが望ましい。
上記第１カム部が上記第１方向後方に位置する上記第１傾斜面の後端部に続いて設けられた第２基準部を有し、上記第１方向後方に位置する上記第１板材の後端部に上記第２基準部に接触させられた延長部が設けられ、上記第１当接部が上記第２基準部に上記延長部を介して突き当たることにより、上記開閉部材の開位置が規定され、上記第２方向前方に位置する上記第２板材の前端部に弾性変形可能な第２弾性部が設けられ、上記第２弾性部が上記第２当接部を上記閉位置側から上記開位置側へ付勢して上記第２基準部に上記延長部を介して押し付けることにより、上記開閉部材が上記開位置に維持されることが望ましい。
上記第１及び第２板材が同一形状に形成されていることが望ましい。
【発明の効果】
【００１０】
本発明に係る換気装置によれば、開閉部材が第１付勢手段によって第１基準部に押し付けられているから、装置本体や開閉部材に製作誤差があったとしても、その製作誤差を第１付勢手段が吸収する。したがって、開閉部材を第１基準部に過不足の無い適切な力で押し付けることができる。
【図面の簡単な説明】
【００１１】
【図１】図１は、この発明に係る換気装置が用いられた建物の一部を室内側から見た図である。
【図２】図２は、図１のＡ−Ａ線に沿う拡大断面図である。
【図３】図３は、図１のＢ−Ｂ線に沿う拡大断面図である。
【図４】図４は、この発明に係る換気装置の一実施の形態を示す平面図である。
【図５】図５は、同実施の同実施の形態を、蓋体を装置本体から取り外した状態で示す斜視図である。
【図６】図６は、同実施の形態の装置本体、開閉部材及びカムブロックを示す分解斜視図である。
【図７】図７は、図４のＸ−Ｘ線に沿う断面図であって、図７（Ａ）は開閉部材を閉位置に移動させた状態で示す断面図であり、図７（Ｂ）は開閉部材を開位置に移動させた状態で示す断面図である。
【図８】図８は、図７（Ａ）のＸ−Ｘ線に沿う断面図である。
【図９】図９は、図７（Ｂ）のＹ−Ｙ線に沿う断面図である。
【図１０】図１０は、同実施の形態において用いられているレバー支持部材を示す正面図である。
【図１１】図１１は、同実施の形態において用いられているレバーを示す正面図である。
【図１２】図１２は、同実施の形態において用いられているリンクバーを示す正面図である。
【図１３】図１３は、同実施の形態において用いられている連結部材を示す正面図である。
【図１４】図１４は、図７（Ａ）の要部の拡大図である。
【図１５】図１５は、図７（Ｂ）の要部の拡大図である。
【図１６】図１６は、同実施の形態において用いられているカムブロック、第１板材及び第２板材を示す拡大正面図である。
【図１７】図１７は、同実施の形態において用いられているカムブロックを示す図であって、図１７（Ａ）はその正面図、図１７（Ｂ）はその背面図、図１７（Ｃ）はその下面図、図１７（Ｄ）はその側面図、図１７（Ｅ）は図１７（Ａ）のＸ−Ｘ線に沿う断面図である。
【図１８】図１８は、同実施の形態において用いられている第１板材を示す図であって、図１８（Ａ）はその正面図、図１８（Ｂ）はその側面図である。
【発明を実施するための形態】
【００１２】
以下、この発明の望ましい実施の形態を添付の図１〜図１８を参照して説明する。
図１は、この発明に係る換気装置が用いられた建物を室内Iから室外Ｏに向かって見た正面図である。この建物においては、床面ＦＬから所定の高さ（例えば、３０〜５０ｃｍ程度の高さ）をもって立ち上がる立ち上がりＡが設けられている。立ち上がりＡの上方には上桟Ｂが設けられている。立ち上がりＡと上桟Ｂとの間には、左右方向へ互いに離間した多数の方立Ｃが設けられている。立ち上がりＡ、上桟Ｂ及び左右に隣接すうる二つの方立Ｃ，Ｃによって窓ガラスＤが支持されている。
【００１３】
図３に示すように、立ち上がりＡには、換気ダクトＥが設けられている。換気ダクトＥの一端部は、立ち上がりＡの室外Ｏに臨む外面に開口している。換気ダクトＥの他端部は、立ち上がりＡの室内Iに臨む上面に開口している。換気ダクトEの室外O側の端部には、換気ダクトE内に比較的大きなゴミや小動物が侵入するのを防止するための網体Fが着脱可能に設けられている。図２及び図３に示すように、換気ダクトEの室内I側の端部には、この発明に係る換気装置1が室内Iから取り付け、取り外すことができるように着脱可能に設けられている。
【００１４】
換気装置１は、次に述べるように構成されている。なお、換気装置１の構成については、説明の便宜上、建物の室内外方向、左右方向及び上下方向を基準として説明する。勿論、換気装置１は、それらの方向に限定されるものではない。
【００１５】
図５及び図６に示すように、換気装置１は、装置本体２を有している。装置本体２は、本体部材２aと一対の端部材2b,2bとを有している。本体部材２aは、アルミニウムの押出し型材からなるものであり、断面「コ」字状に形成されている。端部材2bは、アルミニウムの押出し型材からなるものであり、断面「Ｌ」字状に形成されている。端部材２ｂは、装置本体２の両端部にそれぞれ固定されている。この結果、本体部材２aの両端開口部が端部材２ｂ,２ｂによって閉じられ、装置本体２全体としては、上部が開放された箱状に形成されている。
【００１６】
図５、図８及び図９に示すように、装置本体２の上端部には、化粧蓋３が固定されている。化粧蓋３は、その左右方向の長さ及び室内外方向の幅が装置本体２のそれらより大きくなっており、装置本体２の上端開放部全体を覆うように配置されている。化粧蓋３の室内I及び室外O側を向く各側面には、係合部３aが設けられている。一方、装置本体２の室内I側及び室外O側を向く各側面には、ロック部材４が設けられている。このロック部材４が係合部３aに係脱可能に係合することにより、化粧蓋３が装置本体２の上面に押し付けられた状態で着脱可能に取り付けられている。なお、化粧蓋３は、装置本体２の上面にシール部材S1を介して接触しており、それによって装置本体２と化粧蓋３との間が気密に封止されている。
【００１７】
図８及び図９に示すように、装置本体２は、換気ダクトEの室内I側の端部に配置されている。換気ダクトEに臨む内壁面には、係止部A1が形成されている。この係止部A1にロック部材４が係脱可能に係合することにより、装置本体２が立ち上がりAの換気ダクトＥ内に室内Iから取り付け、取り外すことができるように着脱可能に取り付けられている。装置本体２が立ち上がりAに取り付けられた状態においては、化粧蓋３の上面が立ち上がりAの上面と同一平面上に位置させられている。なお、装置本体２は、端部材２bに形成された孔２ｃにビス（図示せず）を挿通し、このビスを立ち上がりAにねじ込んで締め付けことにより、立ち上がりAに着脱可能に取り付けてもよい。
【００１８】
図３に示すように、立ち上がりAには、換気ダクトEを室外O側の部分と室内I側の部分とに区分する隔壁部A2が形成されている。この隔壁部A2には、貫通孔A3が形成されている。換気ダクトＥの隔壁部Ａ２より室外O側の部分と室内I側の部分とが、貫通孔Ａ３を介して連通されている。
【００１９】
隔壁部A２の上面Ａ４には、装置本体２の底壁部２ｄの下面がシール部材Ｓを介して押し付けられている。これにより、貫通孔A3が閉じられている。ただし、貫通孔A3と対向する底壁部２ｄには、連通孔２ｅが形成されている。この連通孔２ｅにより、貫通孔A3と装置本体２の内部とが連通されており、ひいては換気ダクトEの室外O側の部分が装置本体２の内部に連通されている。装置本体２の内部は、化粧蓋３に形成された換気孔３ｂ（図４及び図５参照）を介して室内Iに連通している。よって、室外Oと室内Iとは、換気ダクトEの隔壁部A2より室外O側の部分、貫通孔A3、連通孔２ｅ、装置本体２の内部空間、及び換気孔３ｂを介して連通されている。したがって、換気ダクトEの室内I側の部分は、実質的には連通孔２ｅ、装置本体２の内部空間及び換気孔３ｂによって構成されている。また、連通孔２ｅ及び装置本体２の内部空間及び換気孔３ｂにより、装置本体２の内部に換気通路５が構成されている。
【００２０】
上記のように、連通孔２ｅが換気通路５の一部であり、換気ダクトEの一部である。したがって、連通孔２ｅを開閉することにより、換気通路５及び換気ダクトEを開閉し、室外Oと室内Iとの間を連通状態と遮断状態とに切り換え、ひいては室外Ｏと室内Ｉとの間の換気を停止状態と換気状態とに切り換えることができる。連通孔２ｅの開閉は、開閉部材６によって行われる。
【００２１】
図５、図６、図８及び図９に示すように、開閉部材６は、中空の板状をなしており、装置本体２の内部に収容されている。開閉部材６は、その長手方向を装置本体２の長手方向に向けた状態で水平に配置されている。しかも、開閉部材６は、装置本体２の長手方向、つまり左右方向へ移動可能に、かつ上下方向へ移動可能に配置されている。開閉部材６は、左右方向へは図７（A)に示す第１位置と図７（Ｂ）に示す第２位置との間を移動可能であり、上下方向へは図７（A)及び図８に示す下位置（閉位置）と図７（Ｂ）及び図９に示す上位置（開位置）との間を移動可能である。後述するように、開閉部材６は、図７（A）、(B)の左方向（第１方向）へ向かって第２位置から第１位置まで移動すると、第１カム機構８によって上位置から下位置まで移動させられる。逆に、図７（A)、（Ｂ）の右方向（第２方向）へ向かって第１位置から第２位置まで移動すると、第２カム機構９によって下位置から上位置まで移動させられる。
【００２２】
開閉部材６の下面には、比較的硬質のゴム等の弾性材からなるシール部材６１が設けられている。このシール部材６１は、開閉部材６が下位置に位置すると、装置本体２の底壁部２ｄの上面（第１基準部）２ｆに押し付けられる。しかも、シール部材６１は、開閉部材６が下位置に位置しているときには連通孔２ｅを囲むように配置されている。したがって、開閉部材６が下位置に位置すると、連通孔２ｅが開閉部材６によって閉じられ、ひいては換気通路５が閉じられる。その結果、室外Oと室内Iとの間が換気装置１によって遮断され、室外Oと室内Iとの間の換気が停止される。逆に、開閉部材６が上位置に位置すると、開閉部材６及びシール部材６１が底壁部２ｄの上面２ｆから上方へ離間する。これにより、連通孔２ｅが開かれ、換気通路５が開かれる。この結果、室外Oと室内Iとが換気ダクトE及び換気通路５を介して連通し、室外Ｏと室内Ｉとの間で換気が行われる。
【００２３】
開閉部材６は、移動機構７によって左右方向へ移動させられる。移動機構７は、図７（A）、（Ｂ）に示すように、レバーボックス７１、レバー７２、リンクバー７３及び連結部材７４を有している。
【００２４】
レバーボックス７１は、一対のボックス半体７１A,７１Ｂによって構成されている。一対のボックス半体７１A，７１Bは、装置本体２の内部の左端部に設けられている。一方のボックス半体７１Ａが室外O側に配置され、他方のボックス半体７１Ｂが室内I側に配置されている。両ボックス７１Ａ，７１Ｂは、装置本体２の室内外方向の中央において互いに接触させられている。なお、ボックス７１Ａ，７１Ｂは、装置本体２を室外O側と室内I側とに２等分する線に関して対称に形成されている。そこで、ボックス半体７１Ａ，７１Ｂの構成については、一方のボックス半体７１Ａの構成だけを説明することし、他方のボックス半体７１Ｂについては、ボックス半体７１Ａの構成部分と同様な部分に同一符号を付してその説明を省略する。
【００２５】
ボックス半体７１Ａの他方のボックス半体７１Ｂとの対向面には、図１０に示すように、円弧状に延びる第１ガイド溝７１aが形成されている。第１ガイド溝７１ａは、円弧に沿って延びている。図７に示すように、一対のボックス半体７１Ａ，７１Ｂの間には、レバー７２が設けられている。図１１に示すように、レバー７２の室外Ｏ側及び室内Ｉ側を向く各側面には、円弧状に延びるガイド部７２ａ，７２ａがそれぞれ形成されている。一方のガイド部７２ａがボックス半体７１Ａの第１ガイド溝７１ａにその長手方向へ移動可能に嵌合され、他方のガイド部７２ａがボックス半体７１Ｂの第１ガイド溝７１ａにその長手方向へ移動可能に嵌合されている。これにより、レバー７２がレバーボックス７１に上下方向へ回転可能に設けられている。
【００２６】
レバー７２は、図７（Ａ）に示すオフ位置と、図７（Ｂ）に示すオン位置との間を回転可能である。レバー７２のオフ位置は、レバー７２がボックス本体７１Ａに形成された位置決め突出部７１ｂの上端面に突き当たることによって定められている。レバー７２のオン位置を定める構造については後述する。
【００２７】
ボックス半体７１Ａのボックス半体７１Ｂとの対向面には、第２ガイド溝７１ｃが形成されている。第２ガイド溝７１ｃは、左右方向へ向かって水平に延びている。図７に示すように、ボックス半体７１Ａ，７１Ｂには、リンクバー７３，７３がそれぞれ設けられている。各リンクバー７３，７３は、ボックス半体７１Ａ，７１Ｂの対向面に沿ってそれぞれ配置されている。一方のリンクバー７３のボックス半体７１Ａとの対向面には、突出部７３ａが形成されている。この突出部７３ａは、第２ガイド溝７１ｃに左右方向へ移動可能に、かつ上下方向へ移動不能に挿入されている。これにより、一方のリンクバー７３がボックス半体７１Ａに左右方向へ移動可能に、かつ上下方向へ移動不能に設けられている。同様にして、他方のリンクバー７３がボックス半体７１Ｂに左右方向へ移動可能に、かつ上下方向へ移動不能に設けられている。
【００２８】
リンクバー７３の長手方向の略中央部には、第１長孔７３ｂが形成されている。第１長孔７３ｂは、その長手方向を上下方向に向けて配置されている。リンクバー７３，７３の間には、レバー７２の下端部が挿入されている。レバー７２の下端部のリンクバー７３，７３と対向する両側面には、突出部７２ｂ，７２ｂがそれぞれ形成されている。突出部７２ｂ，７２ｂは、リンクバー７３，７３の第１長孔７３ｂ，７３ｂにそれぞれ挿入されている。しかも、突出部７２ｂは、第１長孔７３ｂに上下方向へは移動可能に、左右方向へは移動不能に挿入されている。したがって、リンクバー７３が上下方向へ回転すると、それに応じてリンクバー７３が左右方向へ移動する。
【００２９】
ボックス半体７１Ａのボックス半体７１Ｂとの対向面には、ボックス本体７１Ｂ側に向かって突出する隔壁部７１ｄが形成されている。隔壁部７１ｄは、位置決め突出部７１ｂの下端部から左方へ向かって水平に延び、ボックス本体７１Ａの左端壁まで延びている。この結果、レバーボックス７の上面の位置決め突出部７１ｂから左側の部分には、凹部７１Ｃが形成されている。この凹部７１Ｃの右端部の上部には、オフ位置に位置しているときのレバー７２の左端部が入り込んでいる。したがって、凹部７１Ｃの左端部から指を挿入してレバー７２の左端部を上方へ押し上げることができ、それによってレバー７２をオフ位置からオン位置まで回転させることができる。勿論、レバー７２の左端部を押し下げることにより、レバー７２をオン位置からオフ位置まで回転させることができる。
【００３０】
隔壁部７１ｄの下側には、リンクバー７３の左端部が左右方向へ移動可能に入り込んでいる。リンクバー７３の左端部には、ばね受け７５が設けられている。ばね受け７５には、山形状をなす係合ばね７６が設けられている。図７（Ａ）に示すように、係合ばね７６は、レバー７２がオフ位置に位置しているときには、係合ばね７６の山部７６ａが位置決め突出部７１ｂの右端面の下端部（右端面と下面との交差部）に突き当たっており、リンクバー７３をばね受け７５を介して右方へ付勢している。その結果、レバー７２の下端部がリンクバー７３によって右方へ押され、ひいてはレバー７２がオン位置側からオフ位置側へ向かう方向（図７において反時計方向）へ回転付勢されている。そして、この回転付勢力により、リンクバー７３が位置決め突出部７１ｂの上面に押し付けられてオフ位置に維持されている。
【００３１】
レバー７２がオフ位置からオン位置側へ回転すると、リンクバー７３が左方へ移動する。すると、山部７６ａが位置決め突出部７１ｂによって下方へ押される。その結果、山部７６ａの高さが低くなるように係合ばね７６が弾性変形する。レバー７２がさらにオン位置側へ回転すると、山部７６ａが位置決め突出部７１ｂの右端面を通過して位置決め突出部７１ｂの下面に押し付けられる。そして、位置決め突出部７１ｂの下面を摺動状態で通過し、その後は当該下面に連続した隔壁部７１ｄの水平な下面を摺動する。図７（Ａ）、（Ｂ）に示すように、隔壁部７１ｄの下面には、係合凹部７１ｅが形成されている。この係合凹部７１ｅは、レバー７２がオフ位置側からオン位置側に回転してオン位置に達すると係合ばね７６の山部７６ａが係合ばね７６自体の弾性によって係合するように配置されている。換言すれば、山部７６ａが係合凹部７１ｅに係合することにより、レバー７２のオフ位置が定められている。
【００３２】
なお、レバー７２は、山部７６ａの高さが低くなるように係合ばね７６が弾性変形することにより、オン位置を越えてさらに回転することが可能である。しかし、レバー７２がオン位置を越えると直ちに突出部７２ｂが第１長孔７３ｂの内面の上端部に突き当たり、レバー７２の回転が阻止される。したがって、レバー７２は、実質的にはオン位置を越えて回転することがない。
【００３３】
リンクバー７３の右端部には、第２長孔７３ｃが形成されている。この第２長孔７３ｃは、その長手方向を上下方向に向けて配置されている。開閉部材６の左端部には、連結部材７４の右端部が固定されている。連結部材７４の左端部は、リンクバー７３，７３の右端部間に挿入されている。リンクバー７３，７３と対向する連結部材７４の両側面には、突出部７４ａ，７４ａがそれぞれ形成されている。突出部７４ａ，７４ａは、リンクバー７３，７３の第２長孔７３ｃ，７３ｃにそれぞれ挿入されている。突出部７４ａは、第２長孔７３ｃに対し、上下方向へは移動可能であるが、左右方向へは移動不能になっている。したがって、リンクバー７３が左右方向へ移動すると、開閉部材６がリンクバー７３と一体に移動する。よって、レバー７２をオン位置側からオフ位置側へ回転させると、右方向（第１方向）へ移動する。レバー７２がオフ位置に達したときの開閉部材６の位置が第１位置である。逆に、レバー７２をオフ位置側からオン位置側へ回転させると、開閉部材６が左方向（第２方向）へ移動する。レバー７２がオン位置に達したときの開閉部材６の位置が第２位置である。
【００３４】
開閉部材６は、右方向へ向かって第１位置から第２位置まで移動すると、第１カム機構８によって図７（Ｂ）に示す上位置（開位置）から図７（Ａ）に示す下位置（閉位置）まで下方へ移動させられる。逆に、開閉部材６は、左方向へ向かって第２位置から第１位置まで移動すると、第２カム機構９によって下位置から上位置まで上方へ移動させられる。第１及び第２カム機構８，９は、次に述べるように、いずれも装置本体１と開閉部材６との間に設けられている。
【００３５】
図５及び図６に示すように、装置本体１の内部には、２個一対のカムブロック１０，１０´が二対設けられている。一対のカムブロック１０，１０´は、左右方向には同一位置に配置されているが、室内外方向には室外Ｏ側と室内Ｉ側とに互いに離間して配置されている。一対のカムブロック１０，１０´と他の一対のカムブロック１０，１０´とは、左右方向へ互いに離間して配置されている。カムブロック１０，１０´は、一対だけ設けてもよく、三対以上設けてもよい。
【００３６】
カムブロック１０，１０´は、装置本体１を鏡対称に形成されている。そこで、カムブロック１０についてのみその構成を説明することと、カムブロック１０´の構成については、カムブロック１０と同様な構成部分に同一符号を付してその説明を省略する。
【００３７】
図１４〜図１７に示すように、室外Ｏ側に配置されたカムブロック１０の室内Ｉ側に配置されカムブロック１０´との対向面（カムブロック１０の室内Ｉ側を向く面）には、他方のカムブロック１０´側に突出する突出部１１が形成されている。
【００３８】
突出部１１の左端部には、第１傾斜面１２が形成されている。第１傾斜面１２は、左斜め下方を向いており、右方へ向かうにしたがって下方へ向かうように右下がりに傾斜させられている。
【００３９】
突出部１１の左端部には、水平に延びる第１水平面１３が第１傾斜面１２の上端部に続いて形成され、さらに第１水平面１３の左端部から小さな傾斜角度をもって左斜め上方に延びる第１ばね受け面（第２基準部）１４が形成されている。第１ばね受け面１４の傾斜角度は、第１傾斜面１２の傾斜角度より小さい角度に設定されている。通常、第１傾斜面１２の傾斜角度が３０°程度であるのに対し、第１ばね受け面１４の傾斜角度は５°程度に設定されている。なお、第１水平面１３は、第１傾斜面１２に連設されているが、僅かな量であれば第１傾斜面１２から左方へ離間して形成してもよい。同様に、第１ばね受け面１４も、第１水平面１３から左方へ離間させてもよい。
【００４０】
突出部１１の左端部には、第１逃げ面１５が形成されている。第１逃げ面１５は、第１傾斜面１２の下端部に段差部１６及び円弧部１７を介して連設されており、第１傾斜面１２から右方へ向かって延びている。第１逃げ面１５は、段差部１６を形成することなく、第１傾斜面１２に円弧部１７を介して滑らかに連続するように形成してもよい。
【００４１】
突出部１１の左端部には、第１及び第２スリット１８，１９が形成されている。第１スリット１８は、第１傾斜面１２の中央部に沿って配置され、その一部が第１傾斜面１２に入り込んでいる。これにより、第１傾斜面１２が左上側の部分と右下側の部分とに二分されている。第１スリット１８は、第１傾斜面１２に接するように配置してもよい。その場合には、第１傾斜面１２全体が連続した面になる。第１スリット１８の第１傾斜面１２側を向く側面、つまり第１傾斜面１２から左斜め下側に離間した側面には、第１傾斜面１２側に向かって突出する係止突起１８ａが形成されている。この係止突起１８ａの突出高さは、第１スリット１８の幅のほぼ半分に設定されている。第２スリット１９は、第１傾斜面１２の上端部、第１水平面１３及び第１ばね受け面１４に沿って延びている。
【００４２】
突出部１１の右端部には、第２傾斜面２２が形成されている。第２傾斜面２２は、右斜め上方を向いており、左方へ向かうにしたがって上方へ向かうように左上がりに傾斜させられている。第２傾斜面２２の傾斜角度は、つまり水平線に対する第２傾斜面２２の傾斜角度は、第１傾斜面１２の傾斜角度と同一角度に設定されている。したがって、第２傾斜面２２は、第１傾斜面１２と平行になっている。
【００４３】
突出部１１の右端部には、第２傾斜面２２の下端部から右方へ向かって水平に延びる第２水平面２３が形成され、さらに第２水平面２３の右端部から小さな傾斜角度をもって右斜め下方に延びる第２ばね受け面２４が形成されている。第２ばね受け面２４の傾斜角度は、第１ばね受け面１４の傾斜角度と同一に設定されている。なお、第２水平面２３は、第２傾斜面２２に連設されているが、僅かな量であれば第２傾斜面２２から右方へ離間させてもよい。同様に、第２ばね受け面２４も、第２水平面２３から右方へ離間させてもよい。
【００４４】
突出部１１の右端部には、第２逃げ面２５が形成されている。第２逃げ面２５は、第２傾斜面２２の上端部に段差部２６及び円弧部２７を介して連設されており、第２傾斜面２２から左方へ向かって延びている。第２逃げ面２５は、段差部２６を形成することなく、第２傾斜面２２に円弧部２７を介して滑らかに連続するように形成してもよい。
【００４５】
突出部１１の右端部には、第３及び第４スリット２８，２９が形成されている。第３スリット２８は、第２傾斜面２２の中央部に沿って配置され、その一部が第２傾斜面２２に入り込んでいる。これにより、第１傾斜面２２が左上側の部分と右下側の部分とに二分されている。第３スリット２８は、第１傾斜面２２に接するように配置してもよい。その場合には、第１傾斜面２２全体が連続した面になる。第３スリット２８の第２傾斜面２２側を向く側面、つまり第２傾斜面２２から左斜め下側に離間した側面には、第２傾斜面２２側に向かって突出する係止突起２８ａが形成されている。この係止突起２８ａの突出高さは、第３スリット２８の幅のほぼ半分に設定されている。第４スリット２９は、第２傾斜面２２の上端部、第２水平面２３及び第２ばね受け面２４に沿って延びている。
【００４６】
なお、第１傾斜面１２、第１水平面１３、第１ばね受け面１４及び第１逃げ面１５と、第２傾斜面２２、第２水平面１３、第２ばね受け面２４及び第２逃げ面２５とは、次の相違点を除き点対称に配置されている。相違点は、第２水平面２３及び第２ばね受け面２４を１８０°回転させたとき、第２水平面２３及び第２ばね受け面２４が第１水平面１３及び第１ばね受け面１４より僅かに下側に位置するように配置されており、それに対応して第１傾斜面１３の長さが第２傾斜面２２の長さより長くなっている点である。
【００４７】
カムブロック１０には、金属製の第１及び第２板材３１，４１が設けられている。第１板材３１は、図１８（Ａ）、（Ｂ）に示すように、平板上をなす第１板部３１ａと、この第１板部３１ａの一端部に連設された第２板部（延長部）３１ｂと、第１板部３１ａの他端部に連設された第３板部（弾性部）３１ｃとを有している。第１板部３１ａと第２板部３１ｂとの間には、それらを滑らかに連結する円弧部３１ｄが形成され、第１板部３１ａと第３板部３１ｃとの間には、それらを滑らかに連結する円弧部３１ｅが形成されている。
【００４８】
第２板部３１ｂ及び第３板部３１ｃは、第１板部３１ａに対して傾斜させられている。第２板部３１ｂと第３板部３１ｃとは、第１板部３１ａに対しその厚さ方向において互いに逆方向に突出するように傾斜させられている。しかも、第２板部３１ｂの第１板部３１ａに対する傾斜角度と、第３板部３１ｃの第１板部３１ａに対する傾斜角度とは、同一角度に設定されている。したがって、第２及び第３板部３１ｂ，３１ｃは、互いに平行である。ただし、必ずしもそのようにする必要がなく、前者を後者より小さくしてもよい。例えば、前者を第１ばね受け面１４の傾斜角度と同等か、それより若干大きい角度に設定してもよい。後者は、第１傾斜面１２の傾斜角度のほぼ半分程度の大きさに設定されている。
【００４９】
第１板部３１ａの一側面には、第１係合突出部３１ｆが形成されている。この第１係合突出部３１ｆの中央部には、当該中央部を貫通する係合孔３１ｇが形成されている。第１板部３１ａの一端部から第２板部３１ｂの先端に至る部位の一側面には、第２係合突出部３１ｈが形成されている。第１係合突出部３１ｆが第１スリット１８に挿入され、第２係合突出部３１ｈが第２スリット１９に挿入されている。しかも、第２係合突出部３１ｈの係合孔３１ｇには、係止突起１８ａが嵌め込まれている。このようにして、第１板材３１がカムブロック１０に固定状態で取り付けられている。しかも、第１板材３１は、それ自体の弾性により、第１板部３１ａが第１傾斜面１２に押し付けられるとともに、第２板部３１ｂが第１ばね受け面１４に押し付けられている。一方、第１板部３１ａの下端部と、それに続く円弧部３１ｅ及び第３板部３１ｃとは、第１逃げ面１５から下方に離間させられている。したがって、円弧部３１ｅ及び第３板部３１ｃは、その先端部（右端部）が上下方向へ移動するように弾性変形可能である。
【００５０】
第２板材４１は、第１板材３１と同一形状を有している。したがって、第２板材４１は、第１板材３１の第１板部３１ａ，第２板部３１ｂ、第３板部３１ｃ及び円弧部３１ｄ，３１ｅにそれぞれ対応した第１板部４１ａ、第２板部４１ｂ、第３板部４１ｃ及び円弧部４１ｄ，４１ｅを有している。しかも、第１板材３１が第１傾斜面１２、第１水平面、第１ばね受け面及び第１逃げ面１５に沿って配置されているのに対応して、第２板材４１は、第２傾斜面２２、第２水平面２３、第２ばね受け面２４及び第２逃げ面２５に沿って配置されている。ここで、第２水平面２３及び第２ばね受け面２４は、１８０°回転させた第１水平面１３及び第１ばね受け面１４に対して所定距離だけ下側に配置されている。これに対応して、第２板材４１は、１８０°回転させた第１板材３１に対して所定距離だけ下側に位置するように配置されている。なお、第２板材４１には、第１板材３１の第１係合突出部３１ｆ、係合孔３１ｇ及び第２係合突出部３１ｈに対応する第１係合突出部４１ｆ、係合孔４１ｇ及び第２係合突出部４１ｈが形成されている。そして、第１及び第２係合突出部４１ｆ，４１ｈが第３及び第４スリット２８，２９にそれぞれ挿入され、係合孔４１ｇに係止突起２８ａが嵌合されている。
【００５１】
図６、図８及び図９に示すように、開閉部材６の室外Ｏ側を向く側面には、対をなす第１及び第２当接部５１，５２が二対設けられている。対をなす第１及び第２当接部５１，５２は、上下方向には同一位置に、左右方向へは所定距離だけ離間して配置されている。一対の第１及び第２当接部５１，５２と他の一対の第１及び第２当接部５１，５２とは、左右方向へ所定距離だけ離間して配置されている。対をなす第１及び第２当接部５１，５２は、カムブロック１０の第１及び第２傾斜面１２，２２等と第１及び第２カム機構８，９を構成している。
【００５２】
開閉部材６の室内Ｉ側を向く側面には、対をなす第１及び第２当接部５１´，５２´がニ対設けられている。二対の第１及び第２当接部５１´，５２´は、カムブロック１０´の第１及び第２傾斜面１２，２２等と第１及び第２カム機構８，９を構成している点を除き、第１及び第２当接部５１，５２と同一構成を有している。そこで、以下においては、第１及び第２当接部５１，５２についてのみ説明することとし、第１及び第２当接部５１´，５２´の説明は省略する。
【００５３】
図１４〜図１６に示すように、第１及び第２当接部５１，５２は、それらの間の距離、つまり第１当接部５１の右端面と第２当接部５２の左端面との間の距離は、第１板部３１ａの左側の面と第１板部４１ａの右側の面との上下方向において同一位置に位置する部位間の左右方向の距離とほぼ同一か僅かに長い距離に設定されている。したがって、第１当接部５１が第１板部３１ａに突き当たっているときには、第２当接部５２が第１板部４１ａに対してほぼ接触するか、右方へ僅かに離間している。逆に、第２当接部５２が第１板部４１ａに突き当たっているときには、第１当接部５１が第１板部３１ａに対してほぼ接触するか、左方へ僅かに離間している。
【００５４】
第１及び第２当接部５１，５２は、さらに次の条件を満たすように配置されている。すなわち、開閉部材６が第１位置に位置しているときには、図１６（図１４参照）において実線で示すように、第１当接部５１の右端部が第１板材３１の第３板部３１ｃに突き当たり、第３板部３１ｃの右端部が上方へ変位するように第３板部３１ｃ及び円弧部３１ｅを弾性変形させている。その結果、第１当接部５１が第３板部３１ｃによって下方へ付勢されている。一方、第２当接部５２は、開閉部材６が第１位置に位置しているとき、第２板材４１の第３板部４１ｃと上下方向に対向するが、第３板部４１ｃのいずれの箇所に対しても離間している。
【００５５】
このように、開閉部材６が第１位置に位置しているときには、第１当接部５１が第３板部３１ｃによって下方へ付勢される一方、第２当接部５２が第３板部４１ｃに対して離間しているので、開閉部材６が第３板部３１ｃの弾性力によって下方へ付勢され、底壁部２ｄの上面２ｆにシール部材６１を介して押し付けられている。したがって、連通孔２ｅ、ひいては換気通路５が開閉部材６によって閉じられ、換気ダクトＥが換気装置１によって閉じられる。この結果、室外Ｏと室内Ｉとの間の換気が停止される。開閉部材６が底壁部２ｄにシール部材６１を介して押し付けられているときの開閉部材６の位置が下位置（閉位置）であり、開閉部材６は第３板部３１ｃの付勢力によって下位置に維持される。
【００５６】
第１及び第２当接部５１，５２は、さらに次の条件を満たすように配置されている。すなわち、開閉部材６が第２位置に位置しているときには、図１６（図１５参照）において想像線で示すように、第２当接部５２の左端部が第２板材４１の第３板部４１ｃに突き当たり、第３板部４１ｃの右端部が下方へ変位するように第３板部３１ｃ及び円弧部４１ｅを弾性変形させている。その結果、第２当接部５２が第３板部４１ｃによって上方へ付勢され、ひいては開閉部材６が上方へ付勢されている。一方、第１当接部５１は、第１板材３１の第２板部３１ｂの下側に位置しており、開閉部材６を上方へ付勢する第３板部４１ｃの付勢力により、第２板部３１ｂに押し付けられている。この場合、第１当接部５１は、第２板部３１ｂのうちの、第１水平面１３と第１ばね受け面１４との交差部の真下に位置する部分に押し付けられているが、第２板部３１ｂのうちの第１ばね受け１４とだけ対向する部分に押し付けられていてもよく、第１水平面１３とだけ対向する部分に押し付けられていてもよい。
【００５７】
このように、開閉部材６が第２位置に位置しているときには、第１当接部５１が第１ばね受け面１４に第２板部３１ｂを介して押し付けられ、開閉部材６が上下方向において一定の位置に固定される。このときの開閉部材６の位置が上位置である。第１当接部５１は、開閉部材６が第２位置に位置しているときに、第１水平面１３に第２板部３１ｂを介して押し付けるようにしてもよい。開閉部材６が上位置に位置しているときには、シール部材６１が底壁部２ｄから上方へ離間しており、連通孔２ｅが開かれている。よって、換気ダクトＥの室外Ｏ側部分と室内Ｉ側部分とが換気装置１の換気通路５を介して連通し、室外Ｏと室内Ｉとの間で換気が行われる。
【００５８】
図２、図４及び図５に示すように、化粧蓋３には、操作窓孔３ｃが形成されている。この操作窓孔３ｃは、レバー７２の上端部及びレバーボックス７１の凹部７１Ｃと対向するように配置されている。したがって、レバー７２は、オフ位置に位置しているときには、操作窓孔３ｃから指を挿入してレバー７２の左端部を上方へ持ち上げることができ、それによってレバー７２をオフ位置からオン位置まで回転させることができる。オン位置に位置しているレバー７２は、レバー７２の左端部を押し下げることによってオフ位置まで回転させることができる。
【００５９】
上記構成の換気装置１において、いま、レバー７２がオフ位置に位置しているものとする。このときには、開閉部材６が左右方向には第１位置に位置し、上下方向には下位置に位置しており、開閉部材６が第１板材３１の第３板部３１ｃの弾性力によって底壁部２ｄの上面２ｆにシール部材６１を介して押し付けられている。したがって、換気通路５が閉じられており、室外Ｏと室内Ｉとの間での換気が停止されている。また、開閉部材６が底壁部２ｄに押し付けられているので、開閉部材６がガタツクことがない。特に、開閉部材６の上下方向の位置精度に関係する装置本体２、カムブロック１０，１０´及び開閉部材６に寸法に誤差があったとしても、その寸法誤差は第１板材３１の第３板部３１ｃが弾性変形することによって吸収される。したがって、開閉部材６は、底壁部２ｃにシール部材６１を介して確実に押し付けられる。よって、開閉部材６がガタついたり、開閉部材６による連通孔２ｅの封止状態が損なわれるような事態を未然に防止することができる。しかも、シール部材６１が過度に大きな力で底壁部２ｄに押し付けられることがなく、シール部材６１が早期に劣化することを防止することができる。
【００６０】
レバー７２をオフ位置からオン位置側へ回転させると、開閉部材６が第１位置から第２位置へ向かって左方へ移動する。開閉部材６が所定距離だけ移動すると、第２当接部５２が第２傾斜面２２に第１板部４１ａを介して突き当たる。その一方、第１当接部５１が第１板材３１から左方へ僅かに離間するか、単に接するだけになる。したがって、レバー７２をさらにオン位置側へ回転させて開閉部材６をさらに左方へ移動させると、第２当接部５２が第１板部４１ａ上を摺動する。このとき、第１板部４１ａが金属で構成されているから、第２当接部５２が第２傾斜面２２上を直接摺動する場合に比して第２当接部５２をスムースに摺動させることができるとともに、第２傾斜面２２の摩耗を防止することができる。
【００６１】
第２当接部５２が第１板部４１ａ上を摺動すると、第２傾斜面２２（第１板部４１ａ）のカム作用により、第２当接部５２が上方へ移動させられ、ひいては開閉部材６が上方へ移動させられる。これから明らかなように、第２傾斜面２２と第１板部４１ａとによって第２カム部が構成され、第２カム部と第２当接部５２とによって第２カム機構９が構成されている。
【００６２】
レバー７２がオン位置側へさらに回転し、それに伴って開閉部材６が第２位置側へさらに移動すると、第２当接部５２が第１板部４１ａを通過して円弧部４１ｅに突き当たる。すると、第２当接部５２は、開閉部材６の移動に伴って第３板部４１ｃの先端部が下方へ移動するように円弧部４１ｅを弾性変形させる。その後、開閉部材６が第２位置側へさらに移動すると、第２当接部５２が第３板部４１ｃに突き当たり、第３板部４１ｃを引き続き弾性変形させる。その結果、第２当接部５２が上方へ付勢され、ひいては開閉部材６が上方へ付勢される。なお、第２当接部５２が円弧部４１ｅ及び第３板部４１ｃ上を摺動しているときには、第１当接部５１が円弧部３１ｄから第２板部３１ｂ上を摺動している。開閉部材６が第２位置に達すると、第１当接部５１が第３板部４１ｃの弾性力により第１ばね受け面１４に第２板部３１ｂを介して押し付けられる。このときの開閉部材６の上下方向の位置が上位置（開位置）である。開閉部材６が上位置に位置しているときには、第１当接部５１が第１ばね受け面１４に第２板部４１ｂを介して押し付けられているので、開閉部材６はガタツクことなく上位置に強固に維持される。
【００６３】
上記の内容から明らかなように、この実施の形態では、円弧部４１ｅ及び第３板部４１ｃが開閉部材６を上方（閉位置から開位置へ向かう方向）へ付勢する第２付勢手段とされている。しかし、必ずしもこのように構成する必要がなく、第３板部４１ｃだけを第２付勢手段としてもよい。あるいは、第３板部４１ｃとこれに続く円弧部４１ｅの一部だけを第２付勢手段としてもよい。前者の場合には、円弧部４１ｅ全体が第２カム部の一部とされ、後者の場合には円弧部４１ｅの残りの部分（第１板部４１ａに続く部分）が第２カム部の一部とされる。さらに、円弧部４１ｅ全体を第２カム部の一部及び第２弾性部（第２付勢手段）の一部として兼用してもよい。また、この実施の形態では、第１ばね受け面１４が開閉部材の上位置（開位置）を定めるための第２基準部とされている。第２板部３１ｂを第１水平面１３に接触させ、開閉部材６が第２位置（上位置）に位置しているときに、第１当接部５１を第１水平面１３に第２板部３１ｂを介して突き当たるようにしてもよい。その場合には、第１水平面１３が第２基準部になる。
【００６４】
オン位置に位置しているレバー７２をオフ位置側へ回転させると、開閉部材６が第２位置から第１位置に向かって右方へ移動する。開閉部材６が第２位置から所定距離だけ移動すると、第１当接部５１が第１傾斜面１２に第１板材３１の第１板部３１ａを介して突き当たる。その一方、第２当接部５２が第２板材４１から右方へ僅かに離間するか、第２板材４１に単に接する。したがって、レバー７２をさらにオフ位置側へ回転させて開閉部材６をさらに右方へ移動させると、第２当接部５１が第１板部３１ａ上を摺動する。このとき、第１板部３１ａが金属で構成されているから、第１当接部５１が第１傾斜面１２上を直接摺動する場合に比して第１当接部５１をスムースに摺動させることができるとともに、第１傾斜面１２の摩耗を防止することができる。
【００６５】
第１当接部５１が第１板部３１ａ上を摺動すると、第１傾斜面１２（第１板部３１ａ）のカム作用により、第１当接部５１が下方へ移動させられ、ひいては開閉部材６が下方へ移動させられる。これから明らかなように、第１傾斜面１２と第１板部３１ａとによって第１カム部が構成され、第１カム部と第１当接部５１とによって第１カム機構８が構成されている。
【００６６】
レバー７２がオフ位置側へさらに回転し、それに伴って開閉部材６が第１位置側へさらに移動すると、第１当接部５１が第１板部３１ａを通過して円弧部３１ｅに突き当たる。すると、第１当接部５１は、開閉部材６の移動に伴って第３板部３１ｃの先端部が上方へ移動するように円弧部３１ｅを弾性変形させる。その後、開閉部材６が第１位置側へさらに移動すると、第１当接部５１が第３板部３１ｃに突き当たり、第３板部３１ｃを引き続き弾性変形させる。その結果、第２当接部５１が下方へ付勢され、ひいては開閉部材６が下方へ付勢される。なお、第１当接部５１が円弧部３１ｅ及び第３板部３１ｃ上を摺動しているときには、第２当接部５２が第２板材４１から離間している。特に、円弧部４１ｄ及び第２板部４１ｂに対しては上方に離間している。開閉部材６が第２位置に達すると、開閉部材６が上位置（開位置）まで移動させられる。
【００６７】
上記の内容から明らかなように、この実施の形態では、円弧部３１ｅ及び第３板部３１ｃが開閉部材６を下方（開位置から閉位置へ向かう方向）へ付勢する第１付勢手段とされている。しかし、必ずしもこのように構成する必要がなく、第３板部４１ｃだけを第１付勢手段としてもよく、あるいは第３板部３１ｃとこれに続く円弧部４１ｅの一部だけを第１付勢手段としてもよい。前者の場合には、円弧部３１ｅ全体が第１カム部の一部とされ、後者の場合には円弧部３１ｅの残りの部分（第１板部４１ａに続く部分）が第１カム部の一部とされる。また、円弧部３１ｅ全体を第１カム部の一部及び第１弾性部（第１付勢手段）の一部として兼用してもよい。
【００６８】
なお、この発明は、上記の実施の形態に限定されるものでなく、その要旨を逸脱しない範囲において各種の変形例を採用可能である。
例えば、上記の実施の形態においては、開閉部材６を左右方向へ移動させたときに開閉部材６が上下方向へ開閉移動するように構成されているが、換気通路５の向きによっては開閉部材６が左右方向へ開閉移動するように構成されていてもよい。これは、上記換気装置１の上面（化粧蓋３の上面）が室内Ｉ側に向かって水平方向を向くように、装置本体２を配置してもよいことから明らかである。
また、上記の実施の形態においては、開閉部材６が左右方向へ移動するときに、カムブロック１０，１０´にそれぞれ設けられた第１及び第２カム機構８，９によって上下方向へ移動させられるようになっているが、上記特許文献１に記載のものと同様に、開閉部材６の一側部を装置本体２に回転可能に設け、開閉部材６の他側部と装置本体２との間にのみカム機構を設けてもよい。
また、上記の実施の形態においては、装置本体２にカムブロック１０，１０´が設けられているが、開閉部材６にカムブロックを設けてもよい。その場合には、装置本体２に第１及び第２当接部が設けられる。カムブロック１０，１０´については、装置本体２と開閉部材６とのいずれにも設けなくてもよい。つまり、カムブロック１０，１０´を省略してもよい。その場合には、第１及び第２カム部が装置本体２と開閉部材６とのいずれか一方に直接設けられ、他方に第１及び第２当接部５１，５２が設けられる。
さらに、上記の実施の形態においては、第１カム部を第１傾斜面１２と第１板材３１の第１板部３１ａとによって構成しているが、第１カム部を第１傾斜面１２だけで構成してもよい。その場合には、第１板材３１の第３板部３１ｃ及び円弧部３１ｅに代わる第１付勢手段が装置本体に設けられる。これは、第２カム部及び第２付勢手段についても同様である。
【産業上の利用可能性】
【００６９】
この発明に係る換気装置は、建物の壁や窓等に設けられ、室外と室内との間で換気するための装置として利用することができる。
【符号の説明】
【００７０】
Ｉ    室内
Ｏ    室外
１    換気装置
２    装置本体
２ｅ    連通孔（換気通路の一部）
２ｆ    上面（第１基準部）
５    換気通路
６    開閉部材
８    第１カム機構
９    第２カム機構
１０    カムブロック
１０´    カムブロック
１２    第１傾斜面（第１支持部）
１４    第１ばね受け面（第２基準部）
２２    第２傾斜面（第２支持部）
３１    第１板材
３１ａ    第１板部（第１カム部）
３１ｂ    第２板部（延長部）
３１ｃ    第３板部（第１弾性部）
３１ｅ    円弧部（第１弾性部）
４１    第２板材
４１ａ    第１板部（第２カム部）
４１ｃ    第３板部（第２弾性部）
４１ｅ    円弧部（第２弾性部）
【図１】
2013125025.tif 000003
【図２】
2013125025.tif 000004
【図３】
2013125025.tif 000005
【図４】
2013125025.tif 000006
【図５】
2013125025.tif 000007
【図６】
2013125025.tif 000008
【図７】
2013125025.tif 000009
【図８】
2013125025.tif 000010
【図９】
2013125025.tif 000011
【図１０】
2013125025.tif 000012
【図１１】
2013125025.tif 000013
【図１２】
2013125025.tif 000014
【図１３】
2013125025.tif 000015
【図１４】
2013125025.tif 000016
【図１５】
2013125025.tif 000017
【図１６】
2013125025.tif 000018
【図１７】
2013125025.tif 000019
【図１８】
2013125025.tif 000020
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
（削除）
【請求項２】
室外（Ｏ）と室内（Ｉ）とを連通する換気通路（５）が形成された装置本体（２）と、この装置本体（２）に移動可能に設けられた開閉部材（６）とを備え、上記装置本体（２）と上記開閉部材（６）との間には、上記開閉部材（６）が第１方向へ移動するときに、上記開閉部材（６）を上記換気通路（５）を開いた開位置から上記換気通路（５）を閉じた閉位置まで移動させる第１カム機構（８）、及び上記開閉部材（６）が上記第１方向と逆方向である第２方向へ移動するときに、上記開閉部材（６）を上記閉位置から上記開位置まで移動させる第２カム機構（９）が設けられ、上記装置本体（２）には、上記開閉部材（６）に突き当たることによって上記開閉部材（６）の閉位置を規定する第１基準部（２ｆ）が設けられた換気装置において、
上記装置本体（２）に第１付勢手段（３１ｃ，３１ｅ）が設けられ、上記第１付勢手段（３１ｃ，３１ｅ）は、上記閉位置に移動させられた上記開閉部材（６）を上記開位置側から上記閉位置側へ付勢して上記第１基準部（２ｆ）に押し付け、それよって上記開閉部材（６）を上記閉位置に維持し、
上記第１カム機構（８）が、上記装置本体（２）と上記開閉部材（６）とのいずれか一方に設けられた第１カム部（１２，３１ａ）と、他方に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記一方に設けられた第２カム部（２２，４１ａ）と、上記他方に設けられた第２当接部（５２）とを有し、上記開閉部材（６）が上記他方向へ移動するときには、上記第２当接部（５２）が上記第２カム部（１２，３１ａ）上を摺動することにより、上記開閉部材（６）が上記閉位置から上記開位置まで移動させられ、
上記第１方向前方に位置する上記第１カム部（１２，３１ａ）の前端部には、弾性変形可能な第１弾性部（３１ｃ，３１ｅ）が設けられ、この第１弾性部（３１ｃ，３１ｅ）が、上記第１当接部（５１）を上記開位置側から上記閉位置側へ付勢して上記開閉部材（６）を上記第１基準部（２ｆ）に押し付ける上記第１付勢手段とされていることを特徴とする換気装置。
【請求項３】
上記第１カム部（１２，３１ａ）が、上記一方に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記一方に設けられ、上記開閉部材（６）が上記一方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置に向かう方向へ離間させられ、この第１板材（３１）の前端部が上記第１弾性部（３１ｃ，３１ｅ）とされていることを特徴とする請求項２に記載の換気装置。
【請求項４】
上記第２カム部（２２，３４ａ）が、上記一方に設けられた第２支持部（２２）と、金属製の第２板材（４１）とを有し、上記第２支持部（２２）が上記第１及び第２方向に対して傾斜した第２傾斜面（２２）を有し、上記第２板材（４１）が上記第２傾斜面（２２）に接触した状態で上記一方に設けられ、上記開閉部材（６）が上記他方向へ移動するときに上記第２当接部（５２）が上記第２傾斜面（２２）に上記第２板材（４１）を介して摺接することにより、上記開閉部材（６）が上記閉位置側から上記開位置側へ移動させられることを特徴とする請求項３に記載の換気装置。
【請求項５】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部（１４）に接触させられた延長部（３１ｂ）が設けられ、上記第１当接部（５１）が上記第２基準部（１４）に上記延長部（３１ｂ）を介して突き当たることにより、上記開閉部材（６）の開位置が定められ、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第２基準部（１４）に上記延長部（３１ｂ）を介して押し付けることにより、上記開閉部材（６）が上記開位置に維持されることを特徴とする請求項４に記載の換気装置。
【請求項６】
上記装置本体（２）に硬質樹脂からなるカムブロック（１０，１０´）が固定され、このカムブロック（１０，１０´）と上記開閉部材（６）との間に上記第１及び第２カム機構（８，９）が設けられていることを特徴とする請求項２に記載の換気装置。
【請求項７】
上記第１カム機構（８）が、上記カムブロック（１０，１０´）に設けられた第１カム部（１２，３１ａ）と、上記開閉部材（６）に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記カムブロック（１０，１０´）に設けられた第２カム部（２２，４１ａ）と、上記開閉部材（６）に設けられた第２当接部（５２）とを有し、上記開閉部材（６）が上記第２方向へ移動するときには、上記第２当接部（５２）が上記第２カム部（２２，４１ａ）上を摺動することにより、上記開閉部材（６）が上記閉位置から上記開位置まで移動させられ、
上記第１方向前方に位置する上記第１カム部（１２，３１ａ）の前端部には、弾性変形可能な第１弾性部（３１ｃ，３１ｅ）が設けられ、この第１弾性部（３１ｃ，３１ｅ）が、上記第１当接部（５１）を上記開位置側から上記閉位置側へ付勢して上記開閉部材（６）を上記第１基準部（２ｆ）に押し付ける上記第１付勢手段とされていることを特徴とする請求項６に記載の換気装置。
【請求項８】
上記第１カム部（１２，３１ａ）が、上記カムブロック（１０，１０´）に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記カムブロック（１０，１０´）に設けられ、上記開閉部材（６）が上記第１方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置へ向かう方向前方に離間させられ、この前端部が上記第１弾性部（３１ｃ，３１ｅ）とされていることを特徴とする請求項７に記載の換気装置。
【請求項９】
上記第２カム部（２２，４１ａ）が、上記カムブロック（１０，１０´）に設けられた第２支持部（２２）と、金属製の第２板材（４１）とを有し、上記第２支持部（２２）が上記第１及び第２方向に対して傾斜した第２傾斜面（２２）を有し、上記第２板材（４１）が上記第２傾斜面（２２）に接触した状態で上記カムブロック（１０，１０´）に設けられ、上記開閉部材（６）が上記第２方向へ移動するときに上記第２当接部（５２）が上記第２傾斜面（２２）に上記第２板材（４１）を介して摺接することにより、上記開閉部材（６）が上記閉位置側から上記開位置側へ移動させられることを特徴とする請求項８に記載の換気装置。
【請求項１０】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部に接触させられた延長部（３１ｂ）が設けられ、上記第１当接部（５１）が上記第２基準部（１４）に上記延長部（３１ｂ）を介して突き当たることにより、上記開閉部材（６）の開位置が規定され、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第２基準部（１４）に上記延長部（３１ｂ）を介して押し付けることにより、上記開閉部材（６）が上記開位置に維持されることを特徴とする請求項９に記載の換気装置。
【請求項１１】
上記第１及び第２板材（３１，４１）が同一形状に形成されていることを特徴とする請求項４，５，９，１０のいずれかに記載の換気装置。
【手続補正書】
【提出日】平成26年4月16日(2014.4.16)
【手続補正１】
【補正対象書類名】特許請求の範囲
【補正対象項目名】請求項２
【補正方法】変更
【補正の内容】
【請求項２】
室外（Ｏ）と室内（Ｉ）とを連通する換気通路（５）が形成された装置本体（２）と、この装置本体（２）に移動可能に設けられた開閉部材（６）とを備え、上記装置本体（２）と上記開閉部材（６）との間には、上記開閉部材（６）が第１方向へ移動するときに、上記開閉部材（６）を上記換気通路（５）を開いた開位置から上記換気通路（５）を閉じた閉位置まで移動させる第１カム機構（８）、及び上記開閉部材（６）が上記第１方向と逆方向である第２方向へ移動するときに、上記開閉部材（６）を上記閉位置から上記開位置まで移動させる第２カム機構（９）が設けられ、上記装置本体（２）には、上記開閉部材（６）に突き当たることによって上記開閉部材（６）の閉位置を規定する第１基準部（２ｆ）が設けられた換気装置において、
上記装置本体（２）に第１付勢手段（３１ｃ，３１ｅ）が設けられ、上記第１付勢手段（３１ｃ，３１ｅ）は、上記閉位置に移動させられた上記開閉部材（６）を上記開位置側から上記閉位置側へ付勢して上記第１基準部（２ｆ）に押し付け、それよって上記開閉部材（６）を上記閉位置に維持し、
上記第１カム機構（８）が、上記装置本体（２）と上記開閉部材（６）とのいずれか一方に設けられた第１カム部（１２，３１ａ）と、他方に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記一方に設けられた第２カム部（２２，４１ａ）と、上記他方に設けられた第２当接部（５２）とを有し、上記開閉部材（６）が上記第２方向へ移動するときには、上記第２当接部（５２）が上記第２カム部（１２，３１ａ）上を摺動することにより、上記開閉部材（６）が上記閉位置から上記開位置まで移動させられ、
上記第１方向前方に位置する上記第１カム部（１２，３１ａ）の前端部には、弾性変形可能な第１弾性部（３１ｃ，３１ｅ）が設けられ、この第１弾性部（３１ｃ，３１ｅ）が、上記第１当接部（５１）を上記開位置側から上記閉位置側へ付勢して上記開閉部材（６）を上記第１基準部（２ｆ）に押し付ける上記第１付勢手段とされていることを特徴とする換気装置。
【手続補正２】
【補正対象書類名】特許請求の範囲
【補正対象項目名】請求項３
【補正方法】変更
【補正の内容】
【請求項３】
上記第１カム部（１２，３１ａ）が、上記一方に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記一方に設けられ、上記開閉部材（６）が上記第１方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置に向かう方向へ離間させられ、この第１板材（３１）の前端部が上記第１弾性部（３１ｃ，３１ｅ）とされていることを特徴とする請求項２に記載の換気装置。
【手続補正３】
【補正対象書類名】特許請求の範囲
【補正対象項目名】請求項４
【補正方法】変更
【補正の内容】
【請求項４】
上記第２カム部（２２，３４ａ）が、上記一方に設けられた第２支持部（２２）と、金属製の第２板材（４１）とを有し、上記第２支持部（２２）が上記第１及び第２方向に対して傾斜した第２傾斜面（２２）を有し、上記第２板材（４１）が上記第２傾斜面（２２）に接触した状態で上記一方に設けられ、上記開閉部材（６）が上記第２方向へ移動するときに上記第２当接部（５２）が上記第２傾斜面（２２）に上記第２板材（４１）を介して摺接することにより、上記開閉部材（６）が上記閉位置側から上記開位置側へ移動させられることを特徴とする請求項３に記載の換気装置。
【手続補正書】
【提出日】平成26年9月8日(2014.9.8)
【手続補正１】
【補正対象書類名】特許請求の範囲
【補正対象項目名】請求項５
【補正方法】変更
【補正の内容】
【請求項５】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部（１４）に接触させられた延長部（３１ｂ）が設けられ、上記第１当接部（５１）が上記第２基準部（１４）に上記延長部（３１ｂ）を介して突き当たることにより、上記開閉部材（６）の開位置が定められ、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第１当接部（５１）を上記第２基準部（１４）に上記延長部（３１ｂ）を介して押し付けることにより、上記開閉部材（６）が上記開位置に維持されることを特徴とする請求項４に記載の換気装置。
【手続補正２】
【補正対象書類名】特許請求の範囲
【補正対象項目名】請求項７
【補正方法】変更
【補正の内容】
【請求項７】
上記第１カム機構（８）が、上記カムブロック（１０，１０´）に設けられた第１カム部（１２，３１ａ）と、上記開閉部材（６）に設けられた第１当接部（５１）とを有し、上記開閉部材（６）が上記第１方向へ移動するときには、上記第１当接部（５１）が上記第１カム部（１２，３１ａ）上を摺動することにより、上記開閉部材（６）が上記開位置から上記閉位置まで移動させられ、
上記第２カム機構（９）が、上記カムブロック（１０，１０´）に設けられた第２カム部（２２，４１ａ）と、上記開閉部材（６）に設けられた第２当接部（５２）とを有し、上記開閉部材（６）が上記第２方向へ移動するときには、上記第２当接部（５２）が上記第２カム部（２２，４１ａ）上を摺動することにより、上記開閉部材（６）が上記閉位置から上記開位置まで移動させられることを特徴とする請求項６に記載の換気装置。
【手続補正３】
【補正対象書類名】特許請求の範囲
【補正対象項目名】請求項８
【補正方法】変更
【補正の内容】
【請求項８】
上記第１カム部（１２，３１ａ）が、上記カムブロック（１０，１０´）に設けられた第１支持部（１２）と、金属製の第１板材（３１）とを有し、上記第１支持部（１２）が上記第１及び第２方向に対して傾斜した第１傾斜面（１２）を有し、上記第１板材（３１）が上記第１傾斜面（１２）に接触した状態で上記カムブロック（１０，１０´）に設けられ、上記開閉部材（６）が上記第１方向へ移動するときに上記第１当接部（５１）が上記第１傾斜面（１２）に上記第１板材（３１）を介して摺接することにより、上記開閉部材（６）が上記開位置側から上記閉位置側へ移動させられ、上記第１方向前方に位置する上記第１板材（３１）の前端部が上記第１傾斜面（１２）に対して上記開位置から上記閉位置へ向かう方向に離間させられ、この前端部が上記第１弾性部（３１ｃ，３１ｅ）とされていることを特徴とする請求項７に記載の換気装置。
【手続補正４】
【補正対象書類名】特許請求の範囲
【補正対象項目名】請求項１０
【補正方法】変更
【補正の内容】
【請求項１０】
上記第１カム部（１２，３１ａ）が上記第１方向後方に位置する上記第１傾斜面（１２）の後端部に続いて設けられた第２基準部（１４）を有し、上記第１方向後方に位置する上記第１板材（３１）の後端部に上記第２基準部に接触させられた延長部（３１ｂ）が設けられ、上記第１当接部（５１）が上記第２基準部（１４）に上記延長部（３１ｂ）を介して突き当たることにより、上記開閉部材（６）の開位置が規定され、
上記第２方向前方に位置する上記第２板材（４１）の前端部に弾性変形可能な第２弾性部（４１ｃ，４１ｅ）が設けられ、上記第２弾性部（４１ｃ，４１ｅ）が上記第２当接部（５２）を上記閉位置側から上記開位置側へ付勢して上記第１当接部を上記第２基準部（１４）に上記延長部（３１ｂ）を介して押し付けることにより、上記開閉部材（６）が上記開位置に維持されることを特徴とする請求項９に記載の換気装置。
【国際調査報告】
2013125025.tif 000021
2013125025.tif 000022
2013125025.tif 000023
2013125025.tif 000024